Podtech/llm-jp-corpus-v4-ja_patent huggingface dataset:
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  上シェル、中シェル及び下シェルを重ね合せることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されたディスク状記録媒体と、
同一平面上において互いに平面方向に移動可能とされて上記中シェルに回動可能に取り付けられた一対のシャッタ部材と、を備え、
上記中シェルの回転に基づき上記一対のシャッタ部材を移動させることにより上記カートリッジ筐体に設けられ且つ上記ディスク状記録媒体の一部を露出させる開口部を開閉させるシャッタ開閉機構と、
上記中シェルの回転に基づき上記回転方向と垂直方向に移動させて当該中シェルを上記下シェル又は上記上シェルに圧接させる昇降機構と、
を設けたことを特徴とするディスクカートリッジ。
【請求項２】  上記シャッタ開閉機構は、上記一対のシャッタ部材及び上記カートリッジ筐体の一方に設けられた一対のガイド溝と他方に設けられ且つ上記ガイド溝に摺動可能に係合される一対の操作凸部とを有し、
上記中シェルの回転に基づき上記操作凸部に沿って上記ガイド溝を移動させることにより当該一対のシャッタ部材に上記開口部を開閉させる動作を付与するようにした
ことを特徴とする請求項１記載のディスクカートリッジ。
【請求項３】  上記一対のシャッタ部材は、一対の略半円形とされた同一板体の組み合わせからなり、この一対のシャッタ部材が上記開口部を挟んで上記中シェルの一面側に対称に配置され、それぞれのシャッタ部材において弦側の一側部に上記ガイド溝が設けられ、当該弦側の他側部に設けられた枢軸が当該中シェルに回動自在に支持されている
ことを特徴とする請求項１記載のディスクカートリッジ。
【請求項４】  上記昇降機構は、上記上シェル又は上記下シェルにおいて周方向へ所定間隔で設けられ且つ上記重ね合わせ方向に凹又は凸とされた複数の円弧状をなすカム溝又はカム凸部と、上記中シェルにおいて周方向へ所定間隔で設けられ且つ上記カム溝又は上記カム凸部に摺動可能に係合されるカム凸部又はカム溝とによって構成した
ことを特徴とする請求項１記載のディスクカートリッジ。
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  上シェル、中シェル及び下シェルを重ね合せることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に収納されるディスク状記録媒体の一部を露出させるため上記カートリッジ筐体に設けた開口部と、
同一平面上において平面方向に互いに移動可能とされ、上記中シェルの回動に応じて上記開口部の少なくとも一部の開閉を行う一対のシャッタ部材と、を備え、
上記中シェルの外周面には周方向の所定範囲に渡ってギア部を設けると共に、このギア部の一部が露出される開口窓を上記上シェル及び上記下シェルの側面に開口させて設けた
ことを特徴とするディスクカートリッジ。
【請求項２】  上記一対のシャッタ部材は、一対の略半円形とされた同一板体の組み合わせからなり、この一対のシャッタ部材が上記開口部を挟んで上記中シェルの一面側に対称に配置され、それぞれのシャッタ部材において弦側の一側部に上記ガイド溝が設けられ、当該弦側の他側部に設けられた軸部が当該中シェルに回動自在に支持されている
ことを特徴とする請求項１記載のディスクカートリッジ。
【請求項３】  上記一対のシャッタ部材及び上記カートリッジ筐体の一方に一対のガイド溝を設けると共に他方には上記ガイド溝に摺動可能に係合される一対の操作凸部を設け、
上記中シェルの回転に基づき上記操作凸部に沿って上記ガイド溝を移動させることにより当該一対のシャッタ部材に上記開口部を開閉させる動作を付与するようにした
ことを特徴とする請求項２記載のディスクカートリッジ。
【請求項４】  上記開口部は、上記中シェル及び上記下シェル又は上記中シェル及び上記上シェルにおいて、それぞれの中央部を通って直線方向に連続させて設けた
ことを特徴とする請求項１記載のディスクカートリッジ。
【手続補正２】
【補正対象書類名】明細書
【補正対象項目名】００１０
【補正方法】変更
【補正の内容】
【００１０】
【課題を解決するための手段】
上述したような課題等を解決し、上記目的を達成するために、本出願の請求項１記載のディスクカートリッジは、上シェル、中シェル及び下シェルを重ね合せることによって上シェル及び中シェル内又は中シェル及び下シェル内にディスク収納室が形成されると共に中シェルが上シェル及び下シェルによって回転自在に支持されたカートリッジ筐体と、ディスク収納室内に収納されたディスク状記録媒体の一部を露出させるためカートリッジ筐体に設けた開口部と、同一平面上において平面方向に互いに移動可能とされ、中シェルの回動に応じて開口部の少なくとも一部の開閉を行う一対のシャッタ部材と、を備え、中シェルの外周面には周方向の所定範囲に渡ってギア部を設けると共に、このギア部の一部が露出される開口窓を上シェル及び下シェルの側面に開口させて設けたことを特徴としている。
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  上シェル、中シェル及び下シェルを重ね合せることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に収納されるディスク状記録媒体の一部を露出させるため上記カートリッジ筐体に設けた開口部と、
同一平面上において互いに平面方向に移動可能とされて上記中シェルに取り付けられた一対のシャッタ部材と、を備え、
上記中シェルの回転に基づき上記一対のシャッタ部材を移動させて上記開口部の少なくとも一部を開閉させるシャッタ開閉機構を設けた
ことを特徴とするディスクカートリッジ。
【請求項２】  上記一対のシャッタ部材は、略半円形とされた２枚の同一板体の組み合わせからなり、この一対のシャッタ部材が上記開口部を挟んで上記中シェルの一面側に対称に配置されている
ことを特徴とする請求項１記載のディスクカートリッジ。
【請求項３】  上記シャッタ開閉機構は、上記一対のシャッタ部材のそれぞれ一側部に設けられ且つ上記中シェルに回動自在に連結される回動連結部と、各シャッタ部材のそれぞれ他側部に設けられ且つ上記下シェル又は上記上シェルに相対移動可能に連結される移動連結部とを有し、
上記中シェルの回転に基づき上記一対のシャッタ部材を、上記回動連結部を回動中心にして上記移動連結部に相対移動を生じさせて上記開口部の開閉動作を行うようにした
ことを特徴とする請求項１記載のディスクカートリッジ。
【請求項４】  上記回動連結部は、上記一対のシャッタ部材及び上記中シェルの一方に設けられた軸部と他方に設けられた嵌合孔との組み合わせからなり、
上記移動連結部は、上記一対のシャッタ部材及び上記下シェル又は上記上シェルの一方に設けられたガイド溝と他方に設けられた操作凸部との組み合わせからなり、
上記中シェルの回転に基づき上記操作凸部に沿って上記ガイド溝を移動させることにより当該一対のシャッタ部材に上記開閉動作を行わせるようにした
ことを特徴とする請求項３記載のディスクカートリッジ。
【請求項５】  上記開口部は、上記中シェル及び上記下シェル又は上記中シェル及び上記上シェルにおいて、それぞれの中央部を通って直線方向に連続させて設けた
ことを特徴とする請求項１記載のディスクカートリッジ。
【手続補正２】
【補正対象書類名】明細書
【補正対象項目名】００１０
【補正方法】変更
【補正の内容】
【００１０】
【課題を解決するための手段】
上述したような課題等を解決し、上記目的を達成するために、本出願の請求項１記載のディスクカートリッジは、上シェル、中シェル及び下シェルを重ね合せることによって上シェル及び中シェル内又は中シェル及び下シェル内にディスク収納室が形成されると共に中シェルが上シェル及び下シェルによって回転自在に支持されたカートリッジ筐体と、ディスク収納室内に収納されたディスク状記録媒体の一部を露出させるためカートリッジ筐体に設けた開口部と、同一平面上において互いに平面方向に移動可能とされて中シェルに取り付けられた一対のシャッタ部材と、を備え、中シェルの回転に基づき一対のシャッタ部材を移動させて開口部の少なくとも一部を開閉させるシャッタ開閉機構を設けたことを特徴としている。
【手続補正３】
【補正対象書類名】明細書
【補正対象項目名】００１５
【補正方法】変更
【補正の内容】
【００１５】
【課題を解決するための手段】
上述のように構成したことにより、本出願の請求項１記載のディスクカートリッジでは、ディスク収納室を有するカートリッジ筐体と一対のシャッタ部材とを備えたディスクカートリッジにおいて、中シェルの回転に基づいて一対のシャッタ部材を移動させるシャッタ開閉機構を設ける構成とすることにより、中シェルを回転させて一対のシャッタ部材をスムース且つ確実に回転させることができる。そのため、一対のシャッタ部材とカートリッジ筐体間の隙間を小さくして微小なゴミや埃等がディスク収納室内に入り難くすることができ、カートリッジ筐体の防塵効果を高めることができる。また、厚みが薄くてスペース効率に優れ、ディスクカートリッジ全体の小型化、薄型化を図ることができる。
【手続補正４】
【補正対象書類名】明細書
【補正対象項目名】００７９
【補正方法】変更
【補正の内容】
【００７９】
【発明の効果】
以上説明したように、本出願の請求項１記載のディスクカートリッジによれば、ディスク収納室を有するカートリッジ筐体と一対のシャッタ部材とを備えたディスクカートリッジにおいて、中シェルの回転に基づいて一対のシャッタ部材を移動させて開口部の少なくとも一部を開閉するシャッタ開閉機構を設ける構成としたため、シャッタ開閉機構の動作により中シェルを回転させて一対のシャッタ部材を回転動作させ、ディスク状記録媒体の一部を露出させる開口部をスムース且つ確実に開閉させることができる。そのため、一対のシャッタ部材とカートリッジ筐体間の隙間を小さくして微小なゴミや埃等がディスク収納室内に入り難くすることができ、防塵性の優れたディスクカートリッジを提供することができる。また、上下及び中のシェルと一対のシャッタ部材とロック部材とによってディスクカートリッジを構成することができ、部品点数が少なく且つ簡単な構成であって生産性に優れており、しかも、厚みが薄くて薄型化、小型化を図ることができる防塵性に優れたディスクカートリッジを提供することができる。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  上シェル、中シェル及び下シェルを重ね合せることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されたディスク状記録媒体と、
同一平面上において互いに平面方向に移動可能とされて上記中シェルに回動可能に取り付けられた一対のシャッタ部材と、を備え、
上記中シェルの回転に基づき上記一対のシャッタ部材を移動させて互いの端面を当接させることにより上記カートリッジ筐体に設けられ且つ上記ディスク状記録媒体の一部を露出させる開口部を密閉させるシャッタ開閉機構を設けた
ことを特徴とするディスクカートリッジ。
【請求項２】  上記シャッタ開閉機構は、上記一対のシャッタ部材及び上記カートリッジ筐体の一方に設けられた一対のガイド溝と他方に設けられ且つ上記ガイド溝に摺動可能に係合される一対の操作凸部とを有し、
上記中シェルの回転に基づき上記操作凸部に沿って上記ガイド溝を移動させることにより当該一対のシャッタ部材に上記開口部を開閉させる動作を付与するようにした
ことを特徴とする請求項１記載のディスクカートリッジ。
【請求項３】  上記一対のガイド溝には、上記一対のシャッタ部材の閉鎖時において、上記一対の操作凸部にそれぞれバネ力を付与して当該一対のシャッタ部材を平面方向に付勢する弾性片をそれぞれ設けた
ことを特徴とする請求項２記載のディスクカートリッジ。
【請求項４】  上記一対のシャッタ部材は、一対の略半円形とされた同一板体の組み合わせからなり、この一対のシャッタ部材が上記開口部を挟んで上記中シェルの一面側に対称に配置され、それぞれのシャッタ部材において弦側の一側部に上記ガイド溝が設けられ、当該弦側の他側部に設けられた枢軸が当該中シェルに回動自在に支持されている
ことを特徴とする請求項１記載のディスクカートリッジ。
【手続補正２】
【補正対象書類名】明細書
【補正対象項目名】００１１
【補正方法】変更
【補正の内容】
【００１１】
本出願の請求項２記載のディスクカートリッジは、シャッタ開閉機構は、一対のシャッタ部材及びカートリッジ筐体の一方に設けられた一対のガイド溝と他方に設けられ且つガイド溝に摺動可能に係合される一対の操作凸部とを有し、中シェルの回転に基づき操作凸部に沿ってガイド溝を移動させることにより一対のシャッタ部材に開口部を開閉させる動作を付与するようにしたことを特徴としている。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  一対のシェルを重ね合せることによって内部にディスク収納室が形成されたカートリッジ筐体と、
上記ディスク収納室内に回転自在に収納されたディスク状記録媒体と、
上記カートリッジ筐体に移動可能に取り付けられ且つその移動により当該カートリッジ筐体に設けられた開口部を開閉させて上記ディスク状記録媒体の一部が露出可能とされた一対のシャッタ部材と、を備え、
上記開口部は、上記下シェル又は上記上シェルの中央部を通って上記ディスク状記録媒体の直径方向に延在させて設けた
ことを特徴とするディスクカートリッジ。
【請求項２】  上記カートリッジ筐体は、上記上シェル及び上記下シェルによって回転自在に支持された中シェルを有し、
上記中シェル及び上記下シェル又は上記上シェルに上記開口部を設けた
ことを特徴とする請求項１記載のディスクカートリッジ。
【請求項３】  上記一対のシャッタ部材は、一対の略半円形とされた同一板体の組み合わせからなり、この一対のシャッタ部材が上記開口部を挟んで上記中シェルの一面側に対称に配置され、それぞれのシャッタ部材において弦側の一側部に上記ガイド溝が設けられ、当該弦側の他側部に設けられた軸部が当該中シェルに回動自在に支持されている
ことを特徴とする請求項１記載のディスクカートリッジ。
【請求項４】  上記一対のシャッタ部材及び上記カートリッジ筐体の一方に一対のガイド溝を設けると共に他方には上記ガイド溝に摺動可能に係合される一対の操作凸部を設け、
上記中シェルの回転に基づき上記操作凸部に沿って上記ガイド溝を移動させることにより当該一対のシャッタ部材に上記開口部を開閉させる動作を付与するようにした
ことを特徴とする請求項２記載のディスクカートリッジ。
【手続補正書】
【提出日】平成19年2月28日(2007.2.28)
【手続補正１】
【補正対象書類名】明細書
【補正対象項目名】発明の名称
【補正方法】変更
【補正の内容】
【発明の名称】電池
【手続補正２】
【補正対象書類名】明細書
【補正対象項目名】特許請求の範囲
【補正方法】変更
【補正の内容】
【特許請求の範囲】
【請求項１】正極および負極と共に電解質を備えた電池であって、
前記電解質は、カルボン酸、カルボン酸アルカリ金属塩およびカルボン酸アルカリ土類金属塩のうち少なくとも１種を含むゲル状または高分子固体状の電解質を、ラジカル重合反応により重合したものである
ことを特徴とする電池。
【請求項２】前記負極は、銅を含むことを特徴とする請求項１記載の電池。
【請求項３】前記負極は、リチウムを吸蔵および離脱することが可能な材料を含むことを特徴とする請求項１記載の電池。
【請求項４】前記負極は、リチウムを吸蔵および離脱することが可能な材料として炭素材料を含むことを特徴とする請求項３記載の電池。
【請求項５】前記正極は、リチウム複合酸化物を含むことを特徴とする請求項１記載の電池。
【手続補正３】
【補正対象書類名】明細書
【補正対象項目名】０００１
【補正方法】変更
【補正の内容】
【０００１】
【発明の属する技術分野】
本発明は、電解質塩を含む電解質を用いた電池に関する。
【手続補正４】
【補正対象書類名】明細書
【補正対象項目名】０００６
【補正方法】変更
【補正の内容】
【０００６】
本発明はかかる問題点に鑑みてなされたもので、その目的は、良質な電解質を含む電池を提供することにある。
【手続補正５】
【補正対象書類名】明細書
【補正対象項目名】０００７
【補正方法】変更
【補正の内容】
【０００７】
【課題を解決するための手段】
本発明による電池は、正極および負極と共に電解質を備えた電池であって、電解質中にカルボン酸、カルボン酸アルカリ金属塩、およびカルボン酸アルカリ土類金属塩のうち少なくとも１種を含むゲル状または高分子固体状の電解質をラジカル重合反応により重合するようにしたものである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明による電池では、電解質中にカルボン酸、カルボン酸アルカリ金属塩、およびカルボン酸アルカリ土類金属塩のうち少なくとも１種を含んでいるので、例えばモノマの重合により得られる高分子化合物を含む場合に、銅の存在下においてもモノマの重合が良好に進行する。よって、残存モノマが少ない良質な電解質が得られ、優れた電池特性を示す。
【手続補正８】
【補正対象書類名】明細書
【補正対象項目名】００１０
【補正方法】削除
【補正の内容】
【手続補正９】
【補正対象書類名】明細書
【補正対象項目名】００４７
【補正方法】変更
【補正の内容】
【００４７】
電解質４１は、いわゆる高分子固体電解質と呼ばれるものであり、例えば、カルボン酸およびカルボン酸塩のうちの少なくとも１種と、高分子化合物と、電解質塩としてのリチウム塩とを含んでいる。すなわち、可塑剤を含んでいないことを除き、第１の実施の形態の電解質と同様である。なお、高分子化合物には、第１の実施の形態で述べたもののうち、イオン伝導性を有しているものを用いることができる。
【手続補正１０】
【補正対象書類名】明細書
【補正対象項目名】００７０
【補正方法】変更
【補正の内容】
【００７０】
以上説明したように請求項１ないし５記載の電池によれば、電解質中にカルボン酸、カルボン酸アルカリ金属塩およびカルボン酸アルカリ土類金属塩のうち少なくとも１種を含むようにしたので、モノマの重合により得られる高分子化合物を含む場合に、銅などの存在下においてもモノマの重合を良好に進行させることができ、電解質における未反応のモノマの含有量を極めて少なくすることができる。よって、残存モノマが少ない良質な電解質を得ることができ、電池特性の劣化を防止することができるという効果を奏する。
【手続補正１１】
【補正対象書類名】明細書
【補正対象項目名】００７１
【補正方法】削除
【補正の内容】
【手続補正書】
【提出日】平成19年2月27日(2007.2.27)
【手続補正１】
【補正対象書類名】明細書
【補正対象項目名】００３６
【補正方法】変更
【補正の内容】
【００３６】
前記画像反転回路装置は、本出願人が既に販売しているデジタルビデオカメラ「mini  ＤＶ  Ｈａｎｄｙｃａｍ（登録商標）  ＤＣＲ−ＴＲＶ７」などに組み込まれており、本体に対して開閉自在に、また、開いた状態で反転自在に取り付けられている液晶モニタに映出される画像は、その液晶モニタを開いた状態で被写体側に回動させると、その画像は左右上下が反転して映出されるように構成されている。このような画像反転回路装置は、本出願人のデジタルビデオカメラのみならず、他の多くの電機メーカ、カメラメーカから販売されている殆ど全ての液晶モニタ付きデジタルビデオカメラに組み込まれている周知の技術であるので、その詳細な説明は割愛するが、画像の上下及び左右反転方法を図６乃至図８を用いて以下に概念的に説明する。
【手続補正書】
【提出日】平成19年4月12日(2007.4.12)
【手続補正１】
【補正対象書類名】明細書
【補正対象項目名】特許請求の範囲
【補正方法】変更
【補正の内容】
【特許請求の範囲】
【請求項１】  多割合の潤滑粘度の油を含み、かつ少量の下記の添加剤：
(a)油溶性無灰分散剤；
(b)油溶性過塩基性金属洗剤、ここで、その表面活性剤系は一種以上の表面活性剤であり、前記一種の表面活性剤はサリチレートである；及び
(c1)硫黄含有もしくはフェノール性又はその両方である第一油溶性酸化防止剤、又は
(c2)油溶性芳香族アミン酸化防止剤、
又は(c1)及び(c2)の両方
をそれと混合することにより、又はそれに添加することにより提供され又は含む船舶ディーゼルエンジン用の潤滑油組成物であって、
その組成物のTBNが少なくとも10であることを特徴とする潤滑油組成物。
【請求項２】  洗剤が少なくとも200のTBNを有する請求項１記載の組成物。
【請求項３】  洗剤がカルシウム化合物である請求項１又は請求項２記載の組成物。
【請求項４】  表面活性剤の少なくとも一種がフェネートである請求項１〜３のいずれかに記載の組成物。
【請求項５】  洗剤が硫化カルシウムアルキルフェネートとカルシウムアルキルサリチレートの過塩基性混合物を含む複合体である請求項４記載の組成物。
【請求項６】  洗剤がカルシウムアルキルフェネートとカルシウムアルキルサリチレートの硫化され、次いで過塩基化された混合物である請求項４記載の組成物。
【請求項７】  硫黄含有酸化防止剤が無灰硫化アルキルフェノールである請求項１〜６のいずれかに記載の組成物。
【請求項８】  芳香族アミン酸化防止剤がアルキル化二級アミンである請求項１〜７のいずれかに記載の組成物。
【請求項９】  請求項１〜８のいずれかに記載の潤滑油組成物をエンジンに供給することを特徴とする船舶ディーゼルエンジンの潤滑方法。
【請求項１０】  添加剤を含む船舶ディーゼルエンジン用の潤滑油組成物の増粘に対する耐性を増進するための請求項１記載の添加剤(a)、(b)並びに(c1)及び(c2)の一種又は両方の使用。
【請求項１１】  船舶ディーゼルエンジンがトランクピストンエンジンである請求項９記載の方法又は請求項１０記載の使用。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  ビタミンＣ、ビタミンＢ１２および脂溶性ビタミンを含有し且つ可溶化剤および安定剤を含有する鉄化合物を含まないビタミン含有液よりなる第１液と、該第１液とは別体のビタミンＢ１、ビタミンＢ２およびビタミンＢ６を含有する液よりなる第２液からなることを特徴とする室温で長期間安定に保存することのできる２液型のビタミン含有液。
【請求項２】  前記第１液における脂溶性ビタミンが、ビタミンＡ、ビタミンＤおよびビタミンＥから選ばれる少なくとも１種からなるか、或いはビタミンＡ、ビタミンＤおよびビタミンＥから選ばれる少なくとも１種とビタミンＫとからなる請求項１に記載のビタミン含有液。
【請求項３】  前記第１液における可溶化剤がポリオキシエチレンソルビタン脂肪酸エステルである請求項１または２に記載のビタミン含有液。
【請求項４】  前記第１液における安定剤が多価アルコールである請求項１〜３のいずれか１項に記載のビタミン含有液。
【請求項５】  前記第１液が、葉酸、ビオチン、ニコチン酸誘導体およびパントテン酸誘導体から選ばれる少なくとも１種のビタミンを更に含有する請求項１〜４のいずれか１項に記載のビタミン含有液。
【請求項６】  前記第１液が葉酸を含有し、前記第１液および第２液のいずれか一方または両方の液が、ビオチン、ニコチン酸誘導体およびパントテン酸誘導体から選ばれる少なくとも１種のビタミンを含有する請求項１〜５のいずれか１項に記載のビタミン含有液。
【請求項７】  シリンジまたはバイアル中に予め充填してある請求項１〜６のいずれか１項に記載のビタミン含有液。
【請求項８】  静脈注射用または輸液用である請求項１〜７のいずれか１項に記載のビタミン含有液。
【請求項９】  隔壁によって仕切られた３つ以上の室を有する容器の第１室に請求項１〜６のいずれかにおける第１液を充填し、第２室に請求項１〜６のいずれかにおける第２液を充填し、第３室以降に還元糖を含有する液とアミノ酸を含有する液をそれぞれ独立して充填してあるか或いは還元糖を含有する液とアミノ酸を含有する液との混合液を充填してあることを特徴とする輸液入り容器。
【請求項１０】  容器が可撓性のプラスチックおよび／またはエラストマー製であり、各室を仕切る隔壁の全体または一部が弱シール部を形成している請求項９に記載の輸液入り容器。
【手続補正２】
【補正対象書類名】明細書
【補正対象項目名】００１１
【補正方法】変更
【補正の内容】
【００１１】
すなわち、本発明は、
（１）  ビタミンＣ、ビタミンＢ１２および脂溶性ビタミンを含有し且つ可溶化剤および安定剤を含有する鉄化合物を含まないビタミン含有液よりなる第１液と、該第１液とは別体のビタミンＢ１、ビタミンＢ２およびビタミンＢ６を含有する液よりなる第２液からなることを特徴とする室温で長期間安定に保存することのできる２液型のビタミン含有液である。
【手続補正３】
【補正対象書類名】明細書
【補正対象項目名】００１２
【補正方法】変更
【補正の内容】
【００１２】
そして、本発明は、
（２）  前記第１液における脂溶性ビタミンが、ビタミンＡ、ビタミンＤおよびビタミンＥから選ばれる少なくとも１種からなるか、或いはビタミンＡ、ビタミンＤおよびビタミンＥから選ばれる少なくとも１種とビタミンＫとからなる前記（１）のビタミン含有液；
（３）  前記第１液における可溶化剤がポリオキシエチレンソルビタン脂肪酸エステルである前記（１）または（２）のビタミン含有液；
（４）  前記第１液における安定剤が多価アルコールである前記（１）〜（３）のいずれかのビタミン含有液；
を包含する。
【手続補正４】
【補正対象書類名】明細書
【補正対象項目名】００１３
【補正方法】変更
【補正の内容】
【００１３】
さらに、本発明は、
（５）  前記第１液が、葉酸、ビオチン、ニコチン酸誘導体およびパントテン酸誘導体から選ばれる少なくとも１種のビタミンを更に含有する前記（１）〜（４）のいずれかのビタミン含有液である。
【手続補正５】
【補正対象書類名】明細書
【補正対象項目名】００１４
【補正方法】変更
【補正の内容】
【００１４】
そして、本発明は、
（６）  前記第１液が葉酸を含有し、前記第１液および第２液のいずれか一方または両方の液が、ビオチン、ニコチン酸誘導体およびパントテン酸誘導体から選ばれる少なくとも１種のビタミンを含有する前記（１）〜（５）のいずれかのビタミン含有液；
（７）  シリンジまたはバイアル中に予め充填してある前記（１）〜（６）のいずれかのビタミン含有液；
（８）  静脈注射用または輸液用である前記(１)〜(７)のいずれかのビタミン含有液；
を包含する。
【手続補正６】
【補正対象書類名】明細書
【補正対象項目名】００１５
【補正方法】変更
【補正の内容】
【００１５】
さらに、本発明は、
（９）  隔壁によって仕切られた３つ以上の室を有する容器の第１室に前記（１）〜（６）のいずれかにおける第１液を充填し、第２室に前記（１）〜（６）のいずれかにおける第２液を充填し、第３室以降に還元糖を含有する液とアミノ酸を含有する液をそれぞれ独立して充填してあるか或いは還元糖を含有する液とアミノ酸を含有する液との混合液を充填してあることを特徴とする輸液入り容器である。
そして、本発明は、
（１０）  容器が可撓性のプラスチックおよび／またはエラストマー製であり、各室を仕切る隔壁の全体または一部が弱シール部を形成している前記（９）の輸液入り容器を好ましい態様として包含する。
【手続補正書】
【提出日】平成19年1月31日(2007.1.31)
【手続補正１】
【補正対象書類名】明細書
【補正対象項目名】請求項６
【補正方法】変更
【補正の内容】
【請求項６】  前記界面活性剤が、平均で８以上18以下の炭素原子を含む、少なくとも一つの直鎖のまたは枝分れ炭化水素鎖を有する陽イオン界面活性剤であることを特徴とする請求項１記載の方法。
【手続補正２】
【補正対象書類名】明細書
【補正対象項目名】請求項７
【補正方法】変更
【補正の内容】
【請求項７】  前記陽イオン界面活性剤が、各々が平均で８以上18以下の炭素原子を含む、二つの直鎖のまたは枝分れ炭化水素鎖を有することを特徴とする請求項６記載の方法。
【手続補正３】
【補正対象書類名】明細書
【補正対象項目名】請求項１１
【補正方法】変更
【補正の内容】
【請求項１１】  前記コーティングが、同じ条件下で非被覆表面に付着するであろうガラスチップの数と比較して、前記表面に付着するガラスチップの数を少なくとも80パーセント減少させることを特徴とする請求項１記載の方法。
【手続補正４】
【補正対象書類名】明細書
【補正対象項目名】請求項１２
【補正方法】変更
【補正の内容】
【請求項１２】  前記表面に付着するガラスチップの数が少なくとも90パーセント減少することを特徴とする請求項１１記載の方法。
【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  少なくとも１つの画像読取部から画像データを入力し、入力した画像データを少なくとも１つの画像印刷部に出力する画像入出力方法であって、
実行すべき一単位のコピー処理を、画像読取部から画像データを入力する画像入力ジョブと画像印刷部へ画像データを出力する画像出力ジョブに分けるステップと、
分けられた画像入力ジョブと画像出力ジョブの実行を独立に制御するステップと、
前記分けられた先行する画像入力ジョブの終了を判定するステップと、
前記先行する画像入力ジョブの終了を判定した後、先行する画像入力ジョブに関連した画像出力ジョブを実行中であっても新たな画像入力ジョブの開始を許可するステップとを
有することを特徴とする画像入出力方法。
【請求項２】  画像入力ジョブは前記画像読取部から画像データを入力し、画像記憶部に記憶するジョブであり、画像出力ジョブは画像記憶部から画像データを読み出し、前記画像印刷部に出力するジョブであることを特徴とする請求項１に記載の画像入出力方法。
【請求項３】  分けられた画像入力ジョブと画像出力ジョブをそれぞれ管理するための情報を保持する複数の管理テーブルを作成するステップを、更に有することを特徴とする請求項１に記載の画像入出力方法。
【請求項４】  作成された複数の管理テーブルに保持された情報に従って、前記制御ステップにおいて、分けられた画像入力ジョブと画像出力ジョブのそれぞれの実行を独立に制御することを特徴とする請求項３に記載の画像入出力方法。
【請求項５】  少なくとも画像読取部から画像データを入力する入力手段と、
画像データを少なくとも画像印刷部に出力する出力手段と、
実行すべき一単位の画像処理を表わす画像処理パラメータを取り込む取込手段と、
前記取込手段により取り込んだ画像処理パラメータに従って、画像データの入力及び画像データの出力を制御する制御手段とを有し、
前記制御手段は、前記取込手段により取り込んだ画像処理パラメータにより実行されるべき前記画像読取部からの画像データを前記画像印刷部で出力する一単位のコピー処理を、前記入力手段により画像データを入力する画像入力ジョブと前記出力手段により画像データを出力する画像出力ジョブに分け、
分けられた画像入力ジョブと画像出力ジョブの実行を独立に制御し、
更に、前記分けられた先行するジョブの終了を判定し、前記先行する画像入力ジョブの終了を判定した後、先行する画像入力ジョブに関連した画像出力ジョブを実行中であっても、新たな画像入力ジョブの開始を許可することを特徴とする画像入出力装置。
【請求項６】  画像データを記憶する画像記憶手段を更に有し、
画像入力ジョブは前記入力手段により入力した画像データを前記画像記憶手段に記憶するジョブであり、画像出力ジョブは前記画像記憶手段から読み出した画像データを前記出力手段により出力するジョブであることを特徴とする請求項５に記載の画像入出力装置。
【請求項７】  前記制御手段は、分けられた画像入力ジョブと画像出力ジョブをそれぞれ管理するための情報を保持する複数の管理テーブルを有することを特徴とする請求項５に記載の画像入出力装置。
【請求項８】  前記制御手段は、前記複数の管理テーブルに保持された情報に従って、分けられた画像入力ジョブと画像出力ジョブのそれぞれの実行を独立に制御することを特徴とする請求項７に記載の画像入出力装置。
【手続補正書】
【提出日】平成19年10月11日(2007.10.11)
【手続補正１】
【補正対象書類名】明細書
【補正対象項目名】０００７
【補正方法】変更
【補正の内容】
【０００７】
更に、より多くの永久ブロックを組み込むことにより、永久磁石ブロックの一部分だけではなく、中心磁場を所望通りに個々に調整することができる。しかしながら、例えば、システムは７０ガウスの増加を必要としている場合、各永久磁石ブロックは４５ガウスだけ磁場が増加する。この状況において、１組又は２組のブロックを追加しても所望の中心磁場は達成されない。
【特許文献１】米国特許第６４３７６７２号
【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
（ａ）ステアリルオリゴグリコシド７〜２０質量％、
（ｂ）セチルオリゴグリコシ７〜２０質量％、
（ｃ）ミリスチルオリゴグリコシド０.１〜３質量％、
（ｄ）ラウリルオリゴグリコシド０.５〜７質量％、
（ｅ）セチルアルコール４〜１２質量％、
（ｆ）ステアリルアルコール１０〜２０質量％、
（ｇ）５８〜６２質量％のモノグリセリドを含有するＣ16/18部分グリセリド２０〜３０質量％、および
（ｈ）３０〜４５質量％のモノグリセリドを含有するＣ16/18部分グリセリド２０〜３０質量％、
を含有する（ただし、示した量が水をあわせて合計１００質量％となる。）
自己乳化性組成物。
【請求項２】
式（I）：
Ｒ1Ｏ-[Ｇ]p      (I)
〔式中、Ｒ1は、１２、１４、１６または１８個の炭素原子を有するアルキルおよび／またはアルケニル基であり、Ｇは、５または６個の炭素原子を有する糖単位であり、ｐは、１〜１０の数である。〕
に相当するアルキルオリゴグリコシドを、成分（ａ）〜（ｄ）として含有することを特徴とする請求項１に記載の組成物。
【請求項３】
式（II）：
Ｒ2ＯＨ      (II)
〔式中、Ｒ2は、１６または１８個の炭素原子を有する直鎖アルキル基である。〕
に相当する脂肪アルコールを、成分（ｅ）および（ｆ）として含有することを特徴とする請求項１または２に記載の組成物。
【請求項４】
式（III）：
【化１】
2005118776.tif 000001
〔式中、Ｒ3ＣＯは、１６〜１８個の炭素原子を有する直鎖の飽和アシル基であり、Ｒ4およびＲ5は、相互に独立に、Ｒ3ＣＯと同じ意味を有するか、またはヒドロキシル基を表し、但し２つの置換基Ｒ4およびＲ5の少なくとも１つは、ヒドロキシル基を表すことを条件とする。〕
に相当する部分グリセリドを、成分（ｇ）および（ｈ）として含有することを特徴とする請求項１〜３のいずれかに記載の組成物。
【請求項５】
化粧および／または医薬組成物を製造するための、請求項１に記載の自己乳化性組成物の使用。
【請求項６】
自己乳化性組成物を、化粧および／または医薬組成物を基準に０.１〜８質量％、または化粧および／または医薬組成物中に存在する乳化性成分を基準に０.１〜２質量％の量で使用することを特徴とする請求項５に記載の使用。
【手続補正２】
【補正対象書類名】明細書
【補正対象項目名】０００２
【補正方法】変更
【補正の内容】
【０００２】
近年、化粧品の化学者は、「環境にやさしい」乳化剤を含有する高性能の自己乳化性ベースをますます獲得しており、該乳化剤は、非常に低濃度、即ち１％未満の乳化性成分において、温度ストレス下でさえ長期安定性を有するエマルションを形成することができる。一方で、市場のコスト圧力がいっそう大きくなっているので、これに対する経済的動機も存在する。しかしながら他方で、皮膚科学的および生態学的理由も存在する。自己乳化性ベースは、完全に相互に適合させられるエマルションの鍵となる成分、即ち乳化剤およびワックスを粘稠要素として既に含有し、そうして理想的に、適当なオイル成分（軟化剤）のみ、および任意に助剤を、長期安定性を有するエマルションを得るために添加する必要がある系であると理解される。環境にやさしい乳化剤は、エチレンオキシドを含まない非イオン性構造物であり、アルキルポリグルコシド型の乳化剤が、一般に好ましい。欧州特許第0554292号（Cognis）に記載されているような、先行技術からの対応する自己乳化性ベースは、この要求を完全に満たすことができない。なぜなら配合物全体を基準に少なくとも４質量％の乳化性成分が、安定な水中油型エマルションのために必要だからである。濃度がそのレベル未満に低下すると、相分離の危険が劇的に増加し、同時に粘度が減少する。
【手続補正３】
【補正対象書類名】明細書
【補正対象項目名】０００３
【補正方法】変更
【補正の内容】
【０００３】
従って本発明が取り組む課題は、はるかに有効な乳化性能を有し、相安定および粘度安定な水中油型エマルションを製造することができる環境にやさしい自己乳化性組成物を提供することであった。とりわけ本発明は、乳化性成分を基準に多くて２質量％、好ましくは多くて１質量％の濃度で使用される場合でさえ、温度ストレス下でさえ２〜３ヶ月の間安定なままであり、オイル成分の性質に関わり無く粘度減少をうけないエマルションを導く自己乳化性組成物を供給することを提示する。
【手続補正４】
【補正対象書類名】明細書
【補正対象項目名】０００８
【補正方法】変更
【補正の内容】
【０００８】
部分グリセリド
成分（ｇ）および（ｈ）を形成する部分グリセリド、即ちモノグリセリド、ジグリセリドおよびそれらの工業混合物は、それらの製造から少量のトリグリセリドも含有し得る。部分グリセリドは、好ましくは式（III）：
【化２】
2005118776.tif 000002
〔式中、Ｒ3ＣＯは、１６〜１８個の炭素原子を有する直鎖の飽和アシル基であり、Ｒ4およびＲ5は、相互に独立に、Ｒ3ＣＯと同じ意味を有するか、またはヒドロキシル基を表し、但し２つの置換基Ｒ4およびＲ5の少なくとも１つは、ヒドロキシル基を表すことを条件とする。〕
に相当する。典型例は、パルミチン酸および／またはステアリン酸並びにそれらの工業混合物をベースとするモノ-および／またはジグリセリドである。モノエステル含有量が異なる２つの別の部分グリセリドが、本発明に従い使用される。５８〜６２質量％のモノグリセリドを含有する適当な部分グリセリドは、特に Monomuls(商標) 60-35 であり、３０〜４５質量％のモノグリセリドを含有する適当な部分グリセリドは、Cutina(商標) MD である（両方とも Cognis Deutschland GmbH & Co. KG）。
【手続補正５】
【補正対象書類名】明細書
【補正対象項目名】０００９
【補正方法】変更
【補正の内容】
【０００９】
産業用途
本発明は、化粧および／または医薬組成物を製造するための自己乳化性組成物の使用にも関し、その中で自己乳化性組成物は、化粧および／または医薬組成物を基準に０.１〜８質量％、好ましくは０.５〜５質量％、または化粧および／または医薬組成物中に存在する乳化性成分を基準に０.１〜２質量％の量で存在し得る。
【手続補正６】
【補正対象書類名】明細書
【補正対象項目名】００５２
【補正方法】変更
【補正の内容】
【００５２】
・制汗剤
制汗剤は発汗を減少させ、そうしてエクリン汗腺の活動に影響を与えることにより、わきの下の湿りおよび体臭を打ち消す。水性または無水制汗配合物は、典型的に以下の成分を含有する：
・収斂活性要素、
・オイル成分、
・非イオン性乳化剤、
・共乳化剤、
・粘稠要素
・例えば増粘剤または錯生成剤の形態の助剤、および／または
・非水溶媒、例えばエタノール、プロピレングリコールおよび／またはグリセロール。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
支持パッド、ならびにその上に設けられた、繊維で裏打ちされた研磨ディスクからなる研磨システムであり、支持パッドは研磨ディスクの最大半径の９５〜１００％である最大半径を有し、その周囲から間隔をあけて３〜６の弦断片が除去され、支持パッドの除去された弦断片領域の半径方向の長さは研磨ディスクの最大半径の２０％以下である、研磨システム。
【請求項２】
ａ）ディスクは、ディスクと同心であり、ディスクの半径よりも小さい半径を有する少なくとも１つの円のまわりに間隔をおいた位置のディスク体に３〜９の観察開口を持つ、円形の形状を有し；そして
ｂ）支持パッドは研磨ディスクの半径の９５〜１００％である半径を持つ円形であり、そして３〜９の観察開口を有し、支持パッドの周囲から３〜６の均等に間隔をおいた弦断片部分が除かれ、ディスクおよび支持パッドが支持パッドの観察開口と配列される研磨ディスクの観察開口とともに配列されるとき、支持パッドの除去された弦断片領域の半径方向の長さは研磨ディスクの最大半径の１０〜２０％である、請求項１記載の研磨システム。
【請求項３】
ディスクは使用されるときに回転の目的方向をもつ円形形状を有し、該ディスクはディスクの周囲から除去された３〜６の間隔をあけた「オウムのくちばし」の輪郭の部分を有し、除去された各「オウムのくちばし」輪郭部分はディスクの回転の目的方向に関して規定される前および後縁を有し、除去された各「オウムのくちばし」輪郭部分は前および後縁が周囲と出会う点の間の周囲の距離により規定される長さを有し、そしてそこでは除去された各「オウムのくちばし」輪郭部分のディスク体への最深の半径方向侵入は各除去部分の前縁に隣接して生じる、請求項１記載の研磨システム。
【請求項４】
ａ）ディスクは使用されるときに回転の目的方向をもつ円形形状を有し、そしてディスクの周囲から除去された３〜６の間隔をあけた「オウムのくちばし」の輪郭の部分を有し、除去された各「オウムのくちばし」輪郭部分はディスクの回転の目的方向に関して規定される前および後縁を有し、除去された各「オウムのくちばし」輪郭部分は前および後縁が周囲と出会う点の間の周囲の距離により規定される長さを有し、そしてそこでは除去された各「オウムのくちばし」輪郭部分のディスク体への最深の半径方向侵入は各除去部分の前縁に隣接して生じ；そして
ｂ）支持パッドの観察開口がディスクの間隔をあけた弦断面除去部分とともに配列されているとき、周囲周りのどの地点でも、支持パッドはディスクの半径寸法よりも大きい半径寸法を有さないことを条件として，さらには支持パッドの観察開口がディスクの間隔をあけて除去された弦断面部分とともに配列されるとき、ディスクが間隔をあけて除去された弦断面部分を有する周囲の各位置の少なくとも１部内に、間隔をあけて除去された輪郭弦断面部分とともに配列された支持パッドの部分はディスクの半径よりも１０〜２０％短い半径を有することを条件として、支持パッドはディスクの形状と類似した形状を有する、請求項３記載の研磨システム。
【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄が外周面に描かれた複数のリールと前記種々の図柄を所定個数分表示する表示窓とからなり、前記入賞態様決定手段で決定された入賞態様に応じた図柄組み合わせを前記表示窓に規定された有効化入賞ライン上に停止表示する可変表示装置と、
この可変表示装置の可変表示を開始させるスタートレバーと、
前記複数のリールを各リール毎に停止させる複数の停止ボタンと、
前記複数のリール毎に設けられ、前記所定個数分の図柄を背後から照明する複数の光源と、
前記複数のリールが全て停止したことを条件に、前記各光源を所定の表示態様で個別に点灯制御し、前記入賞態様決定手段によって特典ゲームの入賞態様が決定されたことを遊技者に報知する報知手段と、
を備えて構成される遊技機において、
前記報知手段による報知は、前記入賞態様決定手段によって前記特典ゲームの入賞が決定された場合であっても、前記所定の表示態様で報知を行わない場合があり、前記入賞態様決定手段によって前記特典ゲームの入賞態様が決定されていない場合であっても、前記所定の表示態様で報知を行う場合があり、
前記所定の表示態様は、時間の経過と共に表示態様が変化すること
を特徴とする遊技機。
【請求項２】  前記報知手段による報知を行うか否かは、前記入賞態様決定手段による決定の結果に基づいて抽選されること
を特徴とする請求項１に記載の遊技機。
【請求項３】  前記所定の表示態様は、前記各光源のうち少なくとも一つを点灯又は消灯させ、その後、点灯又は消灯させる光源を異ならせること
を特徴とする請求項１または請求項２に記載の遊技機。
【請求項４】  前記所定の表示態様は、前記各光源のうち一つを点灯させ、その後、点灯させる光源を増加させること
を特徴とする請求項１または請求項２に記載の遊技機。
【請求項５】  前記所定の表示態様は、前記複数の各リール毎に予め定められた順番で前記各光源のうち少なくとも一つを順次点灯又は消灯させること
を特徴とする請求項１または請求項２に記載の遊技機。
【請求項６】  前記報知手段は、前記複数のリールが全て停止した後に、２個の光源を点灯させ、経時により、その点灯させた２個の光源の位置を異ならせること
を特徴とする請求項１または請求項２に記載の遊技機。
【請求項７】  前記点灯させた２個の光源が同一のリールを照明する場合には、消灯させた光源を挟んだ位置の光源を点灯させること
を特徴とする請求項６に記載の遊技機。
【請求項８】  前記点灯させた２個の光源が異なるリールを照明する場合には、消灯した光源を挟んだ位置の光源を点灯させること
を特徴とする請求項６に記載の遊技機。
【手続補正２】
【補正対象書類名】明細書
【補正対象項目名】０００７
【補正方法】変更
【補正の内容】
【０００７】
【課題を解決するための手段】
本発明は、このような課題を解決することを目的になされたものであって、この目的は、下記（１）〜（８）の発明によって達成される。
（１）複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄が外周面に描かれた複数のリールと前記種々の図柄を所定個数分表示する表示窓とからなり、前記入賞態様決定手段で決定された入賞態様に応じた図柄組み合わせを前記表示窓に規定された有効化入賞ライン上に停止表示する可変表示装置と、
この可変表示装置の可変表示を開始させるスタートレバーと、
前記複数のリールを各リール毎に停止させる複数の停止ボタンと、
前記複数のリール毎に設けられ、前記所定個数分の図柄を背後から照明する複数の光源と、
前記複数のリールが全て停止したことを条件に、前記各光源を所定の表示態様で個別に点灯制御し、前記入賞態様決定手段によって特典ゲームの入賞態様が決定されたことを遊技者に報知する報知手段と、
を備えて構成される遊技機において、
前記報知手段による報知は、前記入賞態様決定手段によって前記特典ゲームの入賞が決定された場合であっても、前記所定の表示態様で報知を行わない場合があり、前記入賞態様決定手段によって前記特典ゲームの入賞態様が決定されていない場合であっても、前記所定の表示態様で報知を行う場合があり、
前記所定の表示態様は、時間の経過と共に表示態様が変化すること
を特徴とする遊技機。
（２）前記報知手段による報知を行うか否かは、前記入賞態様決定手段による決定の結果に基づいて抽選されること
を特徴とする上記（１）に記載の遊技機。
【手続補正３】
【補正対象書類名】明細書
【補正対象項目名】０００８
【補正方法】変更
【補正の内容】
【０００８】
（３）前記所定の表示態様は、前記各光源のうち少なくとも一つを点灯又は消灯させ、その後、点灯又は消灯させる光源を異ならせること
を特徴とする上記（１）または（２）に記載の遊技機。
（４）前記所定の表示態様は、前記各光源のうち一つを点灯させ、その後、点灯させる光源を増加させること
を特徴とする上記（１）または（２）に記載の遊技機。
（５）前記所定の表示態様は、前記複数の各リール毎に予め定められた順番で前記各光源のうち少なくとも一つを順次点灯又は消灯させること
を特徴とする上記（１）または（２）に記載の遊技機。
【手続補正４】
【補正対象書類名】明細書
【補正対象項目名】０００９
【補正方法】変更
【補正の内容】
【０００９】
（６）前記報知手段は、前記複数のリールが全て停止した後に、２個の光源を点灯させ、経時により、その点灯させた２個の光源の位置を異ならせること
を特徴とする上記（１）または（２）に記載の遊技機。
【手続補正５】
【補正対象書類名】明細書
【補正対象項目名】００１０
【補正方法】変更
【補正の内容】
【００１０】
（７）前記点灯させた２個の光源が同一のリールを照明する場合には、消灯させた光源を挟んだ位置の光源を点灯させること
を特徴とする上記（６）に記載の遊技機。
（８）前記点灯させた２個の光源が異なるリールを照明する場合には、消灯した光源を挟んだ位置の光源を点灯させること
を特徴とする上記（６）に記載の遊技機。